(57)【特許請求の範囲】
【請求項１】
長さが調整可能で、液体の流路を形成する第１及び第２の管路と、
前記第１及び前記第２の管路のそれぞれの先端に設けられ、前記液体を噴出する第１及び第２のノズルと、
前記第１及び前記第２の管路のそれぞれの先端に設けられ、前記第１及び前記第２のノズルから噴出される前記液体を介して超音波を送受信するための第１及び第２の超音波探触子と、
長さが調整可能で、前記第１及び前記第２の管路を支持する第１及び第２の支持部材と、
前記第１及び前記第２の管路を、それぞれ前記第１及び前記第２支持部材の先端部において固定する第１及び第２の固定部と、
を有し、
前記第１及び前記第２の支持部材は、円筒部材であり、
前記第１及び前記第２の管路の一部は、それぞれ前記円筒部材の内部に挿通されることによって、前記第１及び前記第２の支持部材により支持され、
前記第１の超音波探触子は前記液体を介して前記超音波を検査対象に照射し、前記第２の超音波探触子は前記液体を介して前記検査対象を通った前記超音波を受信するように、前記第１及び前記第２の超音波探触子は、前記第１及び前記第２の管路のそれぞれの先端に設けられていることを特徴とする超音波検査装置。
【請求項２】
前記第１及び前記第２のノズルは、噴出する前記液体同士がぶつかり合うように向きが調整されて、前記第１及び前記第２の支持部材に固定されていることを特徴とする請求項１に記載の超音波検査装置。
【請求項３】
前記第１及び前記第２の管路は、着脱可能な継手により連結された複数の管路部材により構成されていることを特徴とする請求項１に記載の超音波検査装置。
【請求項４】
前記第１及び前記第２の管路は、伸縮可能なチューブであることを特徴とする請求項１に記載の超音波検査装置。
【請求項５】
前記複数の管路部材の全部あるいは一部は、軟性のチューブであることを特徴とする請求項３に記載の超音波検査装置。
【請求項６】
前記第１及び前記第２の支持部材は、長さの異なる他の支持部材と交換可能な構成を有することを特徴とする請求項１から４のいずれか１つに記載の超音波検査装置。
【請求項７】
前記第１及び前記第２の支持部材は、伸縮可能な構成を有することを特徴とする請求項１から４のいずれか１つに記載の超音波検査装置。
【請求項８】
前記第１及び前記第２の管路内を流れる前記液体の流量を調整する流量調整弁を有することを特徴とする請求項１から７のいずれか１つに記載の超音波検査装置。
【請求項９】
前記第１及び前記第２の支持部材を固定するためのスタンドを有することを特徴とする請求項１から８のいずれか１つに記載の超音波検査装置。
【請求項１０】
前記第１及び前記第２の支持部材は、前記第１及び前記第２のノズルから噴出される前記液体の噴出方向を変更可能に、前記スタンドに固定されることを特徴とする請求項９に記載の超音波検査装置。
【発明の詳細な説明】
【技術分野】
【０００１】
本発明は、超音波検査装置に関し、特に、液流を介して超音波を出射して検査対象を検査する超音波検査装置に関する。
【背景技術】
【０００２】
従来より、非破壊検査装置が種々の分野で使用されている。非破壊検査装置の中に、ウオータージェットを介して超音波を照射して、検査対象内の傷などの有無を、非破壊で検査する超音波検査装置がある。
【０００３】
例えば、日本特開２００２−１６８８３７号公報に開示のように、ガスタンク内のガスを抜くためのガス絶縁開閉装置のフランジ面の錆の発生状況を点検するために、フランジの錆診断装置が提案されている。その提案にかかる超音波診断装置は、検査対象であるシースに対して移動可能に取り付けられ、ウオータージェットを噴射しながら、超音波を送受信できるように構成されている。
【０００４】
また、ウオータージェットを噴射するノズルがステンレス製の管路部材の先端に固定された超音波検査装置も実用化されている。そのような超音波検査装置は、水を利用するため、超音波検査装置が取り付けられないような検査対象、例えば曲面を有する板部材、を検査する場合、検査対象に対してウオータージェットを当てるためには、検査者は、水を噴射するノズルが先端に取り付けられた管路部材などを持って、ノズルを動かしながら検査を行う。
【先行技術文献】
【特許文献】
【０００５】
【特許文献１】特開２００２−１６８８３７号公報
【発明の概要】
【発明が解決しようとする課題】
【０００６】
しかし、管路部材の長さが長くなって、管路部材内の水量が増えると、検査者が管路部材を把持して支えるためには多大な力が必要となり、検査が容易にできないという問題がある。
【０００７】
また、水の重さに耐えるためには、管路部材自体の強度を高めなければならず、管路部材の薄肉部も厚くなり、管路部材自体の重量が重くなってしまう。
【０００８】
さらに、検査対象の大きさが、常に同じサイズでない場合もある。その場合、検査対象の大きさに応じて、管路部材の長さが互いに異なる複数の超音波検査装置を揃えておくことは、コストの面で好ましくない。
【０００９】
そこで、本発明は、管路部材の長さが長くなっても重量の増加を抑制して、かつ検査対象の大きさに応じて管路部材の長さを変更可能で、検査の容易な超音波検査装置を提供することを目的とする。
【課題を解決するための手段】
【００１０】
本発明の一態様によれば、長さが調整可能で、液体の流路を形成する第１及び第２の管路と、前記第１及び前記第２の管路のそれぞれの先端に設けられ、前記液体を噴出する第１及び第２のノズルと、前記第１及び前記第２の管路のそれぞれの先端に設けられ、前記第１及び前記第２のノズルから噴出される前記液体を介して超音波を送受信するための第１及び第２の超音波探触子と、長さが調整可能で、前記第１及び前記第２の管路を支持する第１及び第２の支持部材と、前記第１及び前記第２の管路を、それぞれ前記第１及び前記第２支持部材の先端部において固定する第１及び第２の固定部と、を有し、前記第１及び前記第２の支持部材は、円筒部材であり、前記第１及び前記第２の管路の一部は、それぞれ前記円筒部材の内部に挿通されることによって、前記第１及び前記第２の支持部材により支持され、前記第１の超音波探触子は前記液体を介して前記超音波を検査対象に照射し、前記第２の超音波探触子は前記液体を介して前記検査対象を通った前記超音波を受信するように、前記第１及び前記第２の超音波探触子は、前記第１及び前記第２の管路のそれぞれの先端に設けられていることを特徴とする超音波検査装置を提供することができる。
【発明の効果】
【００１１】
本発明によれば、管路部材の長さが長くなっても重量の増加を抑制して、かつ検査対象の大きさに応じて管路部材の長さを変更可能で、検査の容易な超音波検査装置を提供することができる。
【図面の簡単な説明】
【００１２】
【図１】本発明の実施の形態に係わる超音波検査装置の外観を示す斜視図である。
【図２】本発明の実施の形態に係わる超音波検査装置の外観を示す平面図である。
【図３】本発明の実施の形態に係わる超音波検査装置の右側面図である。
【図４】本発明の実施の形態に係わる超音波検査装置の左側面図である。
【図５】本発明の実施の形態に係わる接続部材１１ａの正面図である。
【図６】本発明の実施の形態に係わる接続部材１１ａの側面図である。
【図７】本発明の実施の形態に係わる接続部材１１ａの上面図である。
【図８】本発明の実施の形態に係わる、フレーム本体６のアーム２，３及び軸部４の交換を説明するための図である。
【図９】本発明の実施の形態に係わる、スタンド３１に固定された超音波検査装置１の斜視図である。
【図１０】本発明の実施の形態に係わる、スタンド３１のポール３２の軸に直交する軸周りに９０度回動可能にした超音波検査装置１の斜視図である。
【発明を実施するための形態】
【００１３】
以下、図面を参照して本発明の実施の形態を説明する。
（全体構成）
図１は、本実施の形態に係わる超音波検査装置の外観を示す斜視図である。図２は、本実施の形態に係わる超音波検査装置の外観を示す平面図である。図３は、本実施の形態に係わる超音波検査装置の右側面図である。図４は、本実施の形態に係わる超音波検査装置の左側面図である。
【００１４】
超音波検査装置１は、第１のアーム２と、第２のアーム３と、軸部４と、把持部５とを有して構成されている。軸部４は、第１のアーム２と第２のアーム３を支持するアーム支持部材である。アーム２の基端部は、軸部４の一端に固定され、アーム３の基端部は、軸部４の他端に固定されている。アーム２とアーム３と軸部４とが、フレーム本体６を構成する。  
図１及び図２に示すように、フレーム本体６は、コの字状に形成されている。アーム２と３は、軸部４の軸に対して直交する方向に、互いに平行に、延出している。
【００１５】
第１のノズル７は、アーム２の先端部に固定され、後述する管路１７が接続されている。第２のノズル８は、アーム３の先端部に固定され、後述する管路１９が接続されている。各ノズル７、８からは、水がウオータージェットＷＪとして噴出される。  
なお、本実施の形態では、超音波の伝達媒体として水を用いているが、水以外の液体を用いて、ウオータージェットＷＪを生成するようにしてもよい。
【００１６】
ノズル７と８には、それぞれ超音波探触子７ａと８ａが取り付けられている。超音波探触子７ａと８ａは、図示しないが、信号ケーブルを介して、信号処理装置と接続されている。２つのノズル７と８の間に配置された検査対象物ＴＴに液流であるウオータージェットＷＪを当てながら、超音波探触子７ａから超音波を検査対象物ＴＴに照射し、超音波探触子８ａにおいて検査対象物ＴＴを通った超音波を受信する。すなわち、ウオータージェットＷＪの水を媒体として超音波が、超音波探触子７ａから超音波探触子８ａに伝達される。受信した超音波について信号解析を行うことにより、検査対象物ＴＴ内の傷などの有無が検知される。
【００１７】
検査者は、手で把持部５を把持してフレーム本体６を持って、２本のアーム２と３を動かして、ウオータージェットＷＪを検査対象物ＴＴを当てるようにして、検査を行う。
（フレーム構成）
把持部５は、樹脂製の円筒部材であり、フレーム本体６に固定されている。具体的には、把持部取付用パイプ１２が、軸部４の中央部に接続部材１１ａにより固定され、把持部５が、把持部取付用パイプ１２に外挿されて固定されることにより、把持部５は、フレーム本体６に固定されている。  
軸部４の一端には、アーム２の基端部が接続部材１１ｂにより固定されている。軸部４の他端には、アーム３の基端部が接続部材１１ｃにより固定されている。
【００１８】
アーム２、アーム３及び軸部４は、外周部に軸方向に沿った段差部を有するアルミ製のパイプ部材である。ここでは、アルミ材を押し出し成形して作られたアルミフレーム、あるいはアルミプロファイルである。よって、アーム２、アーム３及び軸部４は、ステンレスなどのパイプ部材に比べて軽量である。ノズル７，８の先端から水が噴出しているときには、アーム２と３には水の噴出の反力が掛かるが、断面２次モーメントが高い構造をアーム２，３に採用しているので、アーム２，３は撓まず、ノズル７，８が揺れることを抑制できる。  
なお、本実施の形態では、アーム２，３は、アルミ製の円筒部材であるが、断面がＬ字形状を有する部材等、他の部材でもよい。
【００１９】
図５から図７は、接続部材１１ａの外観図である。接続部材１１ｂと１１ｃも、接続部材１１ａと同じ構成を有するので、ここでは、接続部材１１ａについてのみ説明する。  
図５は、接続部材１１ａの正面図である。図６は、接続部材１１ａの側面図である。図７は、接続部材１１ａの上面図である。
【００２０】
接続部材１１ａは、２つの押圧部材４１、４２と、締結部材４３とから構成されている。各押圧部材４１と４２は、半円筒形状を有し、下部の内側にパイプ部材が内挿できる凹部４４が形成されるように、半円筒形状の内周面が互いに対向するように配置されている。
【００２１】
２つの押圧部材４１と４２の上部には、それぞれ２つの爪部４１ａと２つの爪部４２ａが形成されている。  
締結部材４３は、六角穴付きのボルト４３ａと、ナット（図示せず）とから構成されている。ボルト４３ａが締められると、押圧部材４１と４２の半円筒形状の２つの内周面同士が接近し、かつ２つの爪部４１ａと２つの爪部４２ａとが互いに接近する。
【００２２】
よって、接続部材１１ａの下部の凹部４４に把持部取付用パイプ１２を挿入し、接続部材１１ａの上部の４つの爪部４１ａと４２ａの間に、軸部４の外周部に形成された段差部を挟んだ状態で、締結部材４３により２つの押圧部材４１と４２を締め付ける。その結果、把持部取付用パイプ１２は、凹部４４内で押圧部材４１と４２の半円筒形状の２つの内周面により挟持されて接続部材１１ａにしっかりと固定され、軸部４の外周部に形成された段差部が４つの爪部４１ａと４２ａにより挟持されることにより、軸部４は、接続部材１１ａにしっかりと固定される。
【００２３】
アーム２と軸部４も、接続部材１１ａと同じ構成の接続部材１１ｂにより固定されている。アーム３と軸部４も、接続部材１１ａと同じ構成の接続部材１１ｃにより固定されている。  
以上のようにして、超音波検査装置１のフレーム本体６が構成される。
【００２４】
さらに、軸部４には、スタンド固定部９が取り付け可能となっている。スタンド固定部９は、軸部４の外周面に形成された段差部を挟持するように固定可能に構成されている。さらに、スタンド固定部９は、ノブ９ａを有し、ノブ９ａを回すことにより、スタンドのポールを挟持して、超音波検査装置１をスタンドに固定することができる。
（管路構成）
フレーム本体６には、水を供給するための管路が固定されている。水は、図示しないポンプに接続されるチューブ１３（点線で示す）から供給される。
【００２５】
流量調整弁１４が、把持部５の基端側に固定されている。流量調整弁１４は、ポンプに接続されるチューブ１３と、チューブ１５の間に配設されている。  
流量調整弁１４には、流量調整ノブ１４ａが設けられている。検査者は、例えば超音波出力の波形を見ながら、流量調整ノブ１４ａを手で回すことにより、チューブ１３から１５へ流れる水の流量を調整することができる。すなわち、流量調整弁１４は、後述する管路１７と１９内を流れる前記液体の流量を調整する流量調整弁である。
【００２６】
チューブ１３と１５は、軟性を有するチューブであり、ここではナイロンチューブである。なお、チューブ１３と１５は、テフロン（登録商標）チューブなどでもよい。  
チューブ１５の先端側には、Ｔ型継手１６が接続されている。Ｔ型継手１６は、接続部である３つの接続端部１６ａ、１６ｂ、１６ｃを有する。チューブ１５の先端は、Ｔ型継手１６の接続端部１６ａに接続されている。
【００２７】
Ｔ型継手１６の接続端部１６ｂには、アーム２側の管路１７の一端が接続されている。管路１７は、直列に連結された複数のチューブ１７ａからなり、チューブ１７ａ同士は、継手１８により接続されている。
【００２８】
Ｔ型継手１６の接続端部１６ｃには、アーム３側の管路１９の一端が接続されている。管路１９も、直列に連結された複数のチューブ１９ａからなり、チューブ１９ａ同士は、継手２０により接続されている。
【００２９】
よって、チューブ１５により形成される管路は、Ｔ型継手１６により、２つの管路１７と１９に分岐している。  
チューブ１７ａと１９ａは、軟性を有するチューブであり、ここではナイロンチューブである。なお、チューブ１７ａと１９ａは、テフロン（登録商標）チューブなどでもよい。
【００３０】
さらになお、チューブ１３、１５、１７ａ、１９ａは、ここでは軟性を有するチューブであるが、硬質のパイプであってもよい。よって、管路１７と１９の全部あるいは一部が、軟性のチューブであってもよい。
【００３１】
また、継手１８と２０は、ワンタッチ継手であり、チューブ１７ａ同士及びチューブ１９ａ同士の接続及び離脱が簡単にできるようになっている。すなわち、管路１７と１９は、それぞれ着脱可能な継手１８と２０により連結された複数の管路部材により構成されている。
【００３２】
よって、チューブ１３からの水は、流量調整弁１４を通って、チューブ１５に流入する。チューブ１５に流入した水は、Ｔ型継手１６を介して、２つのアーム２と３の管路１７と１９に供給される。
【００３３】
Ｔ型継手１６は、軸部４の中央部に位置するように配置され、管路１７と１９も、軸部４に沿ってアーム２と３の基端まで配設される。  
管路１７は、アーム２の基端部から、筒体であるアーム２の内部に挿通され、管路１７の先端は、アーム２の先端部に固定される。
【００３４】
同様に、管路１９は、アーム３の基端部から、筒体であるアーム３の内部に挿通され、管路１９の先端は、アーム３の先端部に固定される。  
すなわち、支持部材であるアーム２と３は、円筒部材であり、管路１７と１９の一部は、アーム２と３に挿通されている。
【００３５】
以上のように、水は、アーム２と３自体内を通るのではなく、アーム２と３内に配置されたそれぞれのチューブ１７ａと１９ａ内を通る。
（アームの先端部の構成）
アーム２と３の先端部には、それぞれ、２つの固定部材２３と２つの固定部材２４（図２）を介して、Ｌ字板２１と２２が固定されている。
【００３６】
Ｌ字板２１は、アーム２の軸に平行な面を有するアーム固定部２１ａと、アーム２の軸に直交する面を有するチューブ先端固定部２１ｂとを有する板部材である。  
図２に示すように、各固定部材２３は、アーム２の外周面に形成された段差部を挟持するように、螺子２３ａにより螺子留めによりアーム２に対して着脱自在に固定される。アーム固定部２１ａが、螺子２１ｃにより固定部材２３に固定されることによって、Ｌ字板２１は、アーム２に対して着脱自在に固定される。
【００３７】
Ｌ字板２２も、Ｌ字板２１と同様に、アーム３軸に平行な面を有するアーム固定部２２ａと、アーム３の軸に直交する面を有するチューブ先端固定部２２ｂとを有する板部材である。
【００３８】
各固定部材２４は、アーム３の外周面に形成された段差部を挟持するように、螺子２４ａにより螺子留めによりアーム３に対して着脱自在に固定される。アーム固定部２２ａが、螺子２２ｃにより固定部材２４に固定されることによって、Ｌ字板２２は、アーム３に対して着脱自在に固定される。
【００３９】
各アーム２，３の外周部には、複数の段差部が形成されているので、固定部材２３と２４の取り付け位置によって、アーム固定部２１ａ、２２ａの位置は、変更することができる。因みに、アーム固定部２１ａ、２２ａの位置は、図１と図２で異なっている。
【００４０】
Ｌ字板２１のチューブ先端固定部２１ｂには、隔壁タイプの継手が固定されている。具体的には、チューブ先端固定部２１ｂを挟むようにして２つのナット２５が固定され、２つのナット２５を介して、管路１７の先端と金属製のパイプ２６が接続されている。管路１７の先端は、アーム２の先端に対して固定される。  
そして、ノズル７は、金属製の接続部材２７によりパイプ２６に接続され固定されている。
【００４１】
よって、液体である水を噴出するノズル７は、管路１７の先端に設けられ、管路１７の先端部は、固定部としてのＬ字板２１により、支持部材であるアーム２の先端部において固定され、超音波探触子７ａが、ノズル７から噴出される水である液体を介して超音波を送信する。
【００４２】
Ｌ字板２２のチューブ先端固定部２２ｂにも、隔壁タイプの継手が固定されている。具体的には、チューブ先端固定部２２ｂを挟むようにして２つのナット２８が固定され、２つのナット２８を介して、管路１９の先端と金属製のパイプ２９が接続されている。よって、管路１９の先端は、アーム３の先端に対して固定される。  
そして、ノズル８は、金属製の接続部材３０によりパイプ２９に接続され固定されている。
【００４３】
よって、液体である水を噴出するノズル８は、管路１９の先端に設けられ、管路１９の先端部は、固定部としてのＬ字板２２により、支持部材であるアーム３の先端部において固定され、超音波探触子８ａが、ノズル８から噴出される水である液体を介して超音波を送信する。
【００４４】
ノズル７と８は、噴出する水同士がぶつかり合うように、向きが調整されて、それぞれアーム２と３に対して固定される。  
上述したように、管路１７と１９は、それぞれ複数のチューブ１７ａと１９ａが継手１８と２０により連結されているので、チューブ１７ａと１９ａを追加あるいは除去することができる。
（フレーム本体のサイズの調整）
軸部４とアーム２、３とは接続部材１１ｂと１１ｃにより接続されており、アーム２と３の先端部もそれぞれＬ字板２１と２２に隔壁型の継手により接続されているので、軸部４とアーム２，３を交換することができる。
【００４５】
さらに、管路１７と１９は、それぞれ複数のチューブ１７ａと１９ａが着脱可能な継手１８と１０により接続されているので、長さを変更することができる。  
検査対象によっては、フレーム本体６の大きさが小さすぎたりあるいは大きすぎたり、アーム２と３の長さが長すぎたり短すぎたりするため、検査対象にウオータージェットを適切あるいは容易に当てられなかったり、検査をスムーズに行えない場合がある。
【００４６】
検査者は、検査対象のサイズに応じて、超音波検査装置１のフレーム本体６のサイズを変更可能であるので、ウオータージェットを検査対象に適切に当て、かつ検査もスムーズに行うことができる。
【００４７】
図８は、フレーム本体６のアーム２，３及び軸部４の交換を説明するための図である。図８に示すように、ここでは、アーム２と３として、それぞれ長さの異なる３種類のアーム２，２Ａ，２Ｂと３，３Ａ，３Ｂが用意され、軸部４として、長さの異なる２種類の軸部４，４Ａが用意されている。
【００４８】
検査者は、比較的小さなサイズの検査対象の場合、アーム２Ｂ、３Ｂと、軸部４Ａによりフレーム本体６を形成することができる。逆に、比較的小さなサイズの検査対象の場合、検査者は、アーム２、３と、軸部４によりフレーム本体６を形成することができる。
【００４９】
上記の例では、六角レンチを用いて接続部材１１ａ、１１ｂ、１１ｃの螺子を回して、アーム２，３と、軸部４とを簡単に分離することができる。  
すなわち、アーム２と３は、長さが調整可能で、それぞれ管路１７と１９を支持する支持部材を構成する。ここでは、支持部材であるアーム２と３は、長さを変更できるように、長さの異なる他の支持部材であるアーム２Ａ，２Ｂ、３Ａ，３Ｂと交換可能となっている。
【００５０】
フレーム本体６のサイズを変更したときには、同時に、その変更されたサイズに応じて、管路１７と１９の長さも変更される。継手１８と２０により連結されているチューブ１７ａと１９ａの数を変更することにより、検査者は、管路１７と１９の長さを簡単に変更することができる。  
すなわち、液体の流路を形成する管路１７と１９は、長さが調整可能である。
【００５１】
以上のように構成された超音波検査装置１では、水はアーム２，３の管路を通るのではなく、アーム２，３内に配設された、アーム２，３とは別体である、管路１７と１９を通るようになっている。
【００５２】
すなわち、ウオータージェットのための水は、それぞれアーム２と３内に挿通されている管路１７と１９内のみを通って供給されるので、超音波検査装置１の重量は、アーム２と３の重量に、管路１７と１９内の水の重量を加算した重量であり、検査者は、超音波検査装置１を持って、検査対象ＴＴに対してウオータージェットを当てながら移動させることができる。  
なお、検査対象によっては、超音波検査装置１をスタンドに固定した方が、効率的に検査を行うことができる場合がある。
【００５３】
図９は、スタンド３１に固定された超音波検査装置１の斜視図である。スタンド３１は、ポール３２と、ポール３２を支持する支持部３３とからなる。ノブ９ａを回して締めることにより、スタンド固定部９がポール３２を挟持して、フレーム本体６がスタンド３１に対して固定される。
【００５４】
よって、上述した超音波検査装置１をスタンド３１に固定して、使用してもよい。すなわち、超音波検査装置１は、フレーム本体６を固定するためのスタンド３１を有していてもよい。
【００５５】
さらに、スタンド３１に固定した状態で、スタンド固定部９を９０度回動できるようにしてもよい。  
図１０は、スタンド３１のポール３２の軸に直交する軸周りに９０度回動可能にした超音波検査装置１の斜視図である。
【００５６】
図１０は、超音波検査装置１を図９に示すように固定した状態（実線で示す）と、ポール３２の軸に直交する把持部５の軸周りに軸部４を９０度回動した状態（点線で示す）とを示している。
【００５７】
超音波検査装置１のアーム２，３の位置を垂直方向に並んだ状態（実線で示す）で、検査対象を検査することもできるだけでなく、超音波検査装置１のアーム２，３の位置を水平方向に並んだ状態（点線で示す）で、検査対象を検査することもできるので、検査対象に応じて、検査がし易い。
【００５８】
さらに、軸部４の軸が垂直方向に平行な状態から、水平方向に平行な状態の間の任意の角度でも、軸部４を固定できるようにしてもよい。このようにすれば、検査者は、フレーム本体６を検査し易い姿勢にして、検査を行うことができる。  
すなわち、支持部材であるフレーム本体６は、ノズル７と８から噴出される液体の噴出方向を変更可能に、スタンド３１に固定される。
【００５９】
よって、上述した実施の形態によれば、管路部材の長さが長くなっても重量の増加を抑制して、かつ検査対象の大きさに応じて管路部材の長さを変更可能で、検査の容易な超音波検査装置を提供することができる。
【００６０】
なお、上述した管路１７，１９は、軟性の複数のチューブ１７ａ，１９ａにより構成されているが、螺旋状で、伸縮可能なチューブでもよい。  
さらになお、上述したアーム２，３は、長さの異なる複数のアーム部材を交換することにより、アーム２，３の長さを変更しているが、テレスコピックパイプなどの伸縮可能な部材を用いてもよい。すなわち、アーム２，３は、伸縮可能な構成を有していてもよい。
【００６１】
また、上述した実施の形態の超音波検査装置１は、２つの超音波探触子を用いて、一方から超音波を送信し、他方がその超音波を受信するように構成されているが、１つの超音波探触子が送受信を行うようにしてもよい。すなわち、１つのアームと、そのアームの先端にノズルと超音波探触子を設けた超音波検査装置においても、上述した構成は、適用可能である。
【００６２】
本発明は、上述した実施の形態に限定されるものではなく、本発明の要旨を変えない範囲において、種々の変更、改変等が可能である。
【符号の説明】
【００６３】
１  超音波検査装置、２、２Ａ，２Ｂ  アーム、３、３Ａ，３Ｂ  アーム、４、４Ａ  軸部、５  把持部、６  本体フレーム、７  ノズル、７ａ  超音波探触子、８  ノズル、８ａ  超音波探触子、９  スタンド固定部、９ａ  ノブ、１１ａ、１１ｂ、１１ｃ  接続部材、１２  把持部取付用パイプ、１３  チューブ、１４  流量調整弁、１４ａ  流量調整ノブ、１５  チューブ、１６  Ｔ型継手、１６ａ、１６ｂ、１６ｃ  接続端部、１７  管路、１７ａ  チューブ、１８  継手、１９  管路、１９ａ  チューブ、２０  継手、２１  Ｌ字板、２１ａ  アーム固定部、２１ｂ  チューブ先端固定部、２１ｃ  螺子、２２  Ｌ字板、２２ａ  アーム固定部、２２ｂ  チューブ先端固定部、２２ｃ  螺子、２３  固定部材、２３ａ  螺子、２４  固定部材、２４ａ  螺子、２５  ナット、２６  パイプ、２７  接続部材、２８  ナット、２９  パイプ、３０  接続部材、３１  スタンド、３２  ポール、３３  支持部、４１  押圧部材、４１ａ、４２ａ  爪部、４３  締結部材、４３ａ  ボルト、４４  凹部。
【図１】
0006438697.tif 000002
【図２】
0006438697.tif 000003
【図３】
0006438697.tif 000004
【図４】
0006438697.tif 000005
【図５】
0006438697.tif 000006
【図６】
0006438697.tif 000007
【図７】
0006438697.tif 000008
【図８】
0006438697.tif 000009
【図９】
0006438697.tif 000010
【図１０】
0006438697.tif 000011